(57)【特許請求の範囲】
【請求項１】
寝台に寝載した被検体にＸ線を照射するＸ線源と、このＸ線源と対向配置され前記被検体の透過Ｘ線を検出するＸ線検出器と、前記Ｘ線源と前記Ｘ線検出器とを移動可能に支持する支持器と、この支持器と前記Ｘ線源に供給する電源とを搭載する台車とを備えた移動型Ｘ線装置において、前記寝台若しくは前記被検体と前記Ｘ線源との距離を測定する手段と、該測定された距離と前記Ｘ線源のＸ線照射条件及び前記支持器の角度情報とから前記被検体の被曝線量を求める手段と、前記被曝線量を前記被検体の特定情報及び撮影部位と対応づけて記憶する手段と、該記憶された被曝線量と同一被検体及び同一撮影部位である場合に、前記記憶された被曝線量と今回測定される被曝線量を積算して積算被曝線量を求める手段と、該求められた積算被曝線量を表示する手段とを備えたことを特徴とする移動型Ｘ線装置。
【請求項２】
寝台に寝載した被検体にＸ線を照射するＸ線源と、このＸ線源と対向配置され前記被検体の透過Ｘ線を検出するＸ線検出器と、前記Ｘ線源と前記Ｘ線検出器とを移動可能に支持する支持器と、この支持器と前記Ｘ線源に供給する電源とを搭載する台車とを備えた移動型Ｘ線装置において、前記寝台若しくは前記被検体と前記Ｘ線源との距離を測定する手段と、該測定された距離と前記Ｘ線源のＸ線照射条件から前記被検体の被曝線量を求める手段と、前記被曝線量を前記被検体の特定情報及び撮影部位と対応づけて記憶する手段と、該記憶された被曝線量と同一被検体及び同一撮影部位である場合に、前記記憶された被曝線量と今回測定される被曝線量を積算して積算被曝線量を求める手段と、該求められた積算被曝線量を表示する手段とを備えたことを特徴とする移動型Ｘ線装置。
【発明の詳細な説明】
【０００１】
【発明が属する技術分野】
本発明は、患者（被検体）の被曝線量又は積算被曝線量の測定と管理を可能とした移動型Ｘ線装置に関する。
【０００２】
【従来の技術】
従来の移動型Ｘ線装置は、被検体にＸ線を照射するＸ線源と、このＸ線源と対向配置され前記被検体の透過Ｘ線を検出するＸ線検出器と、前記Ｘ線源と前記Ｘ線検出器とを移動可能に支持する支持器と、この支持器と前記Ｘ線源等の電気機器に供給する電源とを搭載する台車とを備え、前記台車を移動することにより、手術室内を移動可能としたものである。
【０００３】
近年では救命救急室で使用されることも増えたり、画像処理装置と組み合わせて手術室にて撮影（ＤＳＡ撮影）を行うことも増えたりして用途が拡大している。
このような移動型Ｘ線装置では、被検体のＸ線透視撮影が簡便に行えるが、Ｘ線被曝線量の測定、管理が対応されておらず、それらを如何に行うかが問題となっている。
上記Ｘ線被曝線量の測定、管理は、例えば、Ｘ線量を計測する線量計を取り付けて被検体ごとにリストを作り、被曝線量や積算被曝線量を計測、算出する方法がある。
【０００４】
【発明が解決しようとする課題】
しかしながら、上記線量計を取り付けて管理する方法は、移動可能であることを主目的とする移動型Ｘ線装置ではなるべく筐体をコンパクトにしなければならないことに反すること、被検体ごとのリストによる被曝線量や積算被曝線量の管理が煩雑なこと、線量計の価格が高いこと、など種々の克服困難な問題点がある。
【０００５】
本発明の目的は、Ｘ線被曝線量を簡便に測定可能な移動型Ｘ線装置を提供することにある。
【０００６】
本発明のその他の目的は、積算Ｘ線被曝線量を簡便に算出可能な移動型Ｘ線装置を提供することにある。
【０００７】
【課題を解決するための手段】
上記目的は、寝台に寝載した被検体にＸ線を照射するＸ線源と、このＸ線源と対向配置され前記被検体の透過Ｘ線を検出するＸ線検出器と、前記Ｘ線源と前記Ｘ線検出器とを移動可能に支持する支持器と、この支持器と前記Ｘ線源に供給する電源とを搭載する台車とを備えた移動型Ｘ線装置において、前記寝台若しくは前記被検体と前記Ｘ線源との距離を測定する手段と、該測定された距離と前記Ｘ線源のＸ線照射条件及び前記支持器の角度情報とから前記被検体の被曝線量を求める手段と、前記被曝線量を前記被検体の特定情報及び撮影部位と対応づけて記憶する手段と、該記憶された被曝線量と同一被検体及び同一撮影部位である場合に、前記記憶された被曝線量と今回測定される被曝線量を積算して積算被曝線量を求める手段と、該求められた積算被曝線量を表示する手段とを備えたことで達成される。また、寝台に寝載した被検体にＸ線を照射するＸ線源と、このＸ線源と対向配置され前記被検体の透過Ｘ線を検出するＸ線検出器と、前記Ｘ線源と前記Ｘ線検出器とを移動可能に支持する支持器と、この支持器と前記Ｘ線源に供給する電源とを搭載する台車とを備えた移動型Ｘ線装置において、前記寝台若しくは前記被検体と前記Ｘ線源との距離を測定する手段と、該測定された距離と前記Ｘ線源のＸ線照射条件から前記被検体の被曝線量を求める手段と、前記被曝線量を前記被検体の特定情報及び撮影部位と対応づけて記憶する手段と、該記憶された被曝線量と同一被検体及び同一撮影部位である場合に、前記記憶された被曝線量と今回測定される被曝線量を積算して積算被曝線量を求める手段と、該求められた積算被曝線量を表示する手段とを備えたことでも達成される。
【０００８】
また、上記その他の目的は、前記被曝線量を前記被検体の特定情報及び撮影部位と対応づけて記憶する手段と、該記憶された被曝線量と同一被検体及び同一撮影部位である場合に、前記記憶された被曝線量と今回測定される被曝線量を積算して積算被曝線量を求める手段と、該求められた積算被曝線量を出力する手段とを備えたことで達成される。
【０００９】
【発明の実施の形態】
本発明の実施の形態について図面を用いて説明する。
図１は、本発明を採用する移動型Ｘ線装置の構成例を示すブロック図である。
【００１０】
上記移動型Ｘ線装置は、Ｘ線源１０１、Ｘ線検出器１０２、Ｃアーム１０３、制御部１０４、演算器１０５、表示器１０６、台車１０７、寝台１０８及び距離計１０９を備えている。
【００１１】
Ｘ線源１０１は寝台１０８上の被検体１１０にＸ線を照射する。Ｘ線検出器１０２はＸ線源１０１と対向配置され被検体１１０の透過Ｘ線を検出するもので、ここでは、イメージ・インテンシファイア（Ｉ．Ｉ．）を例に挙げるが、最近開発されつつあるＸ線平面センサに置換可能である。Ｃアーム１０３はＸ線源１０１とＩ．Ｉ．１０２を移動可能に支持する。制御部１０４は、移動Ｘ線装置を統括して各構成要素を制御する。演算部１０５は、Ｉ．Ｉ．１０２に検出された被検体の透過Ｘ線の信号を処理する。表示器１０６は、信号処理されたものをＸ線画像として表示する。台車１０７はＣアーム１０３とＸ線源１０１を含む電気機器に供給する電源とを搭載するもので、この台車１の下部に設けられる車輪によって移動型Ｘ線装置全体が移動可能となっている。距離計１０９は寝台１０８若しくは被検体１１０とＸ線源１０１との距離を測定する。そして、さらに演算器１０５に求めた距離とＸ線源の照射条件を用いて被曝線量を求めさせる。ここで求められた被曝線量はキャラクタジェネレータなどにより数値情報に変換され、表示器１０６にＸ線画像とともに表示出力する。ここでは移動型Ｘ線装置の筐体に取り付けられるモニタなどの表示器１０６を例に挙げるが、診察者が被曝線量を知ることができれば視覚によらないで、音声合成器などを使ってスピーカで被曝線量を音声として発生させる聴覚による認知手段、あるいは診断者に注意を促すために各感覚の認知手段を組み合せてもよい。
【００１２】
また、図１の演算器１０５の構成例について図２を用いて説明する。
演算器１０５は、画像処理部２０１、距離演算部２０２、線量演算部２０３、線量記憶部２０４、積算線量演算部２０５、キャラクタジェネレータ２０６及び画像合成部２０７を有している。
【００１３】
画像処理部２０１はＩ．Ｉ．１０２に検出された被検体の透過Ｘ線の信号を処理する。距離演算部２０２は超音波又はレーザの発信源・受信器をＸ線源１０１に、取り付け、超音波又はレーザが発信源から受信器へ到達する時間測定し、その到達時間と超音波又はレーザの速度とを演算器１０５が乗算することで距離を求める。線量演算部２０３は、演算器１０５に求めた距離とＸ線源の照射条件を用いて被曝線量を求めさせる。この求め方は、Ｘ線照射面の被曝線量がＸ線源のＸ線照射条件（Ｘ線管の印加電圧＊電流＊照射時間）を前記求めた距離の二乗で除算する方法があり、その詳細は、社団法人日本放射線技師会編集、「＜改定増補版＞診療放射線データブック」、１９８４年９月２７日発行の第３３頁〜第４２頁に記載されているので、ここでの詳細な説明は省略する。線量記憶部２０４は、被検体毎、透視・撮影部位毎に分類し、それら分類と対応づけて求めた被曝線量を記憶する。積算線量演算部２０６は、記憶された被曝線量と現に撮影した際の被曝線量を加算して、線量記憶部２０４を更新記憶する。キャラクタジェネレータ２０６は、被曝線量を表示する場合、線量演算部２０３の出力を数値変換し、積算被曝線量を表示する場合、積算線量演算部２０６の出力を数値変換する。画像合成部２０７は、画像処理部２０１の出力とキャラクタジェネレータ２０６の出力を合成して、表示器１０６へ出力する。
【００１４】
次に、本発明の移動型Ｘ線装置が被曝線量又は積算被曝線量を表示する手順を説明する。移動型Ｘ線装置はコンピュータシステムを内蔵しており、メモリ等も内蔵されている。
【００１５】
Ｘ線源１０１から出力するＸ線条件におけるＸ線量、寝台１０８の厚さ寸法、寝台の厚さ単位当りの吸収Ｘ線量を移動型Ｘ線装置が有しているメモリにあらかじめ記憶させておく。
Ｘ線源１０１からのＸ線が寝台１０８に遮られない場合、Ｘ線源１０１と被検体１１０の間に寝台１０８即ちＸ線吸収体が無いために、被検体１１０の被曝線量はＸ線源１０１から被検体１１０までの距離だけを考慮すればよい。
【００１６】
よって距離計１０９にて測定した、Ｘ線源１０１からＸ線照射面である被検体１１０までの距離と、あらかじめ上記メモリ記憶させておいたＸ線源１０１でのＸ線条件におけるＸ線量を計算し、被検体１１０の被曝線量を表示器１０６にＸ線画像と共に表示する。ここで、Ｃアーム１０３の取り付け位置によっては、距離計１０９で測定した距離を変える要素であるから、Ｃアーム１０３の位置を公知の方法で検出しておいて、前記測定した距離とＣアーム１０３の検出位置からさらに正確な距離を求めればより被曝線量の精度を向上できる。また被曝線量を積算線量演算部２０６に積算させ、積算被曝線量を表示器１０６に表示する。Ｘ線画像と被曝線量と積算被曝線量の３者は同時に表示もできるし、それぞれを選択的にも表示できる。
【００１７】
Ｘ線源１０１からのＸ線が寝台１０８に遮られる場合、Ｘ線源１０１と被検体１１０との間に寝台１０８が介在するため、被検体１１０の被曝線量は寝台１０８の吸収Ｘ線量を考慮する必要がある。またＣアーム１０３は円弧・旋回運動により寝台１０８に対して任意角度からＸ線を照射するため、寝台１０８のＸ線を吸収する厚さ寸法が変わってくる。Ｃアーム１０３にはロータリーエンコーダなどの円弧角度・旋回角度を検出する検出器を設けてあるので、円弧角度・旋回角度検出器により１０３Ｃアームの角度検出値がわかる。そして、あらかじめ記憶しておいた寝台１０８の厚さ寸法と、Ｃアーム１０３の角度検出値により、Ｃアーム１０３の任意角度における寝台１０８の厚さ寸法を算出する。算出されたＣアーム１０３の任意角度による寝台１０８の厚さ寸法と、あらかじめ記憶しておく寝台１０８の厚さ単位当りの吸収Ｘ線量を換算することにより、Ｃアーム１０３の任意角度における寝台１０８の吸収Ｘ線量が算出される。
【００１８】
一方、照射面である寝台１０８の表面でのＸ線量を、距離計１０９により計測したＸ線源１０１からＸ線照射面までの距離の値と、あらかじめ記憶しておくＸ線源１０１でのＸ線条件におけるＸ線量により算出する。算出された照射面である寝台１０８の表面でのＸ線量から、Ｃアーム１０３の任意角度における寝台１０８の吸収Ｘ線量を差し引きすることにより、被検体１１０の被曝線量が求まり、表示器１０６に表示する。
【００１９】
以上説明したように、本実施の形態は、寝台１０８に寝載した被検体１１０にＸ線を照射するＸ線源１０１と、このＸ線源１０１と対向配置され被検体１１０の透過Ｘ線を検出するＸ線検出器１０２と、Ｘ線源１０１とＸ線検出器１０２とを移動可能に支持するＣアーム１０３と、このＣアーム１０３とＸ線源１０１に供給する電源とを搭載する台車１０７とを備えた移動型Ｘ線装置において、前記寝台１０８と前記Ｘ線源１０１との距離を測定する距離計１０９と、該測定された距離とＸ線源１０１のＸ線照射条件とから被検体１１０の被曝線量を求める演算器１０５と、該求められた被曝線量を表示する表示器１０６とを備えたので、Ｘ線被曝線量を簡便に測定し表示することができる。
【００２０】
また、前記被曝線量を被検体１１０の特定情報及び撮影部位と対応づけて記憶する線量記憶部２０４と、該記憶された被曝線量と同一被検体及び同一撮影部位である場合に、前記記憶された被曝線量と今回測定される被曝線量を積算して積算被曝線量を求める積算線量演算部２０５と、該求められた積算被曝線量を表示する表示器１０６とを備えたので、積算Ｘ線被曝線量を簡便に算出し表示することができる。
【００２１】
【発明の効果】
本発明は、Ｘ線被曝線量を簡便に測定可能な移動型Ｘ線装置を提供するという効果がある。
また、積算Ｘ線被曝線量を簡便に算出可能な移動型Ｘ線装置を提供するという効果がある。
【図面の簡単な説明】
【図１】本発明を採用する移動型Ｘ線装置の構成例を示すブロック図。
【図２】図１の演算器の構成例を示すブロック図。
【符号の説明】
１０１…Ｘ線源、１０２…Ｘ線検出器、１０３…Ｃアーム、１０４…制御部、１０５…演算器、１０６…表示器、１０７…台車、１０８…寝台、１０９…距離計、１１０…被検体
【図１】
0004039852.tif 000002
【図２】
0004039852.tif 000003